(57)【要約】      （修正有）【課題】自分の希望するプレー条件に合致した同伴者とのラウンドを可能とするゴルフ同伴者募集システムを提供する。【解決手段】ゴルフプレーを希望する複数の会員の各端末装置と、ゴルフ同伴者募集サービスを提供する業者のサーバとがインターネットを介して相互に通信可能に接続され、各端末装置から入力された会員情報を記憶装置に登録する会員情報登録手段と、会員のうち、自分でゴルフ場のプレー予約を行い、他の会員の中から同伴希望者を募集する者（以下、「主催者」という。）が端末装置から入力した主催者情報、同伴者希望条件及びプレー基本情報を含む募集情報を記憶装置に登録するための募集情報登録手段と、端末装置から入力された同伴希望者の参加申込みを受け付ける参加申込受付手段と、参加申込みを行った同伴希望者の会員情報と同伴者希望条件との照合を行い、一致した場合に参加申込みを許可する同伴者条件照合手段と、を備える。【選択図】図２
2012083998.tif 000002
【特許請求の範囲】
【請求項１】
ゴルフプレーを希望する複数の会員の各端末装置と、ゴルフ同伴者募集サービスを提供する業者のサーバとがインターネットを介して相互に通信可能に接続されたインターネットを利用したゴルフ同伴者募集システムであって、
前記各端末装置は、前記各会員の会員情報、参加申込み内容を入力する入力手段を備え、
前記サーバは、記憶装置と、前記各端末装置から入力された会員情報を前記記憶装置に登録するための会員情報登録手段と、前記会員のうち、自分でゴルフ場のプレー予約を行い、他の前記会員の中から同伴希望者を募集する者（以下、「主催者」という。）が前記端末装置から入力した主催者情報、同伴者希望条件及びプレー基本情報を含む募集情報を前記記憶装置に登録するための募集情報登録手段と、前記端末装置から入力された前記同伴希望者の参加申込みを受け付ける参加申込受付手段と、前記参加申込みを行った同伴希望者（以下、「申込者」という。）の会員情報と前記同伴者希望条件との照合を行い、一致した場合に前記参加申込みを許可する同伴者条件照合手段と、を備えるとともに、
前記同伴者条件照合手段が参加申込みを許可した場合に、該参加申込みを許可された者と、前記主催者と、既に参加申込みを許可された他の申込者に対して、参加登録通知を電子メールにて通知するメール送信手段とを備えたことを特徴とするインターネットを利用したゴルフ同伴者募集システム。
【請求項２】
前記プレー基本情報が、少なくとも、プレー日時、ゴルフ場名、料金を含むものである請求項１に記載のインターネットを利用したゴルフ同伴者募集システム。
【請求項３】
前記同伴者希望条件が、少なくとも同伴者の性別、年齢、プレースタイル及び平均スコアを含むものである請求項１又は２に記載のインターネットを利用したゴルフ同伴者募集システム。
【請求項４】
前記会員情報は、少なくとも会員の氏名、性別、年齢、平均スコア、プレースタイル及びメールアドレスを含むものであることを特徴とする請求項１乃至３のいずれかに記載のインターネットを利用したゴルフ同伴者募集システム。
【請求項５】
前記端末装置は、パソコン、携帯用情報端末、又は携帯電話のいずれかである請求項１乃至４のいずれかに記載のインターネットを利用したゴルフ同伴者募集システム。
【発明の詳細な説明】
【技術分野】
【０００１】
本発明は、インターネットを利用したゴルフ同伴者募集システムに関するものであり、特に、自分の希望するプレー条件、同伴者希望条件に合致した同伴者とのラウンドを可能とするゴルフ同伴者募集システムに関するものである。
【背景技術】
【０００２】
従来、ゴルフのプレーを希望する者（特にビジターの場合）は、自分で仲間を集めてパーティ（普通は４名から成る）を結成し、希望するゴルフ場に予約を入れる必要があった。
しかしながら、ゴルフ仲間がいない場合（いてもなかなか集まらない場合を含む。）、仲間はいるもののたまには違うメンバーとプレーしたい場合、同じような技術レベルの人とプレーしたい場合、自分で予約ができない初心者の場合、又はゴルフを通じた異性との出会いを求める場合など、一人で申し込みたいというニーズが存在する。
かかる場合、ゴルフ場に一人で申し込みを行おうとすると、一人での申し込みを受け付けないゴルフ場ではプレーを諦めざるを得ず、また、仮に受付をしてもらえたとしても、自分の希望する相手とパーティを組めるという保証はないから、特に、初心者の場合は気後れして、結局はプレーを諦めてしまうのが実情である。
【０００３】
これに対して、インターネットを利用して、一人でプレーの申し込みを行うことのできるサービスを提供するシステムが提案されている（特許文献１参照）。これは、当該サービスを提供するＷｅｂサイトから、申込者が希望するプレーの条件（プレー希望日、希望エリア、平均スコアなど）、同伴者の条件（性別、年齢、平均スコアなど）を入力して予約エントリーを行うと、コンピュータ（サーバ）がプレーの条件、同伴者条件を検索し、条件が合致する申込者を抽出して、４人（あるいは３人）１組としてゴルフパーティを成立させ、さらに、希望条件(希望エリア)に属するゴルフ場の中から予約可能なゴルフ場を選んで自動予約を行うものである。そして、予約が成立した場合は、申込者に対して電子メールを送信するというものである。
【０００４】
しかしながら、上記システムは、仮にパーティが成立したとしても、肝心のゴルフ場の予約が取れるという保証がなく、また、申込み時点においては、どのような人と一緒にプレーできるのかが分からないという問題もある。従って、申込み時点においてすでにゴルフ場のプレー予約が確保されており、かつ、エントリーしている他の申込者の状況(人数、プロフィール等)が分かるようなシステムの提供が望まれている。
【特許文献１】特開２００６−３３１２４２号公報
【発明の概要】
【発明が解決しようとする課題】
【０００５】
本発明は上述のような事情に鑑み為されたものであり、本発明は、初めてのゴルフ場であっても一人で申し込みを行うことができ、また自分の希望するプレー条件に合致した同伴者とのラウンドを可能とするインターネットを利用したゴルフ同伴者募集システムを提供することを目的とする。
【課題を解決するための手段】
【０００６】
本発明は、ゴルフプレーを希望する複数の会員の各端末装置と、ゴルフ同伴者募集サービスを提供する業者のサーバとがインターネットを介して相互に通信可能に接続されたインターネットを利用したゴルフ同伴者募集システムに関し、本発明の上記目的は、前記各端末装置は、前記各会員の会員情報、参加申込み内容を入力する入力手段を備え、前記サーバは、記憶装置と、前記各端末装置から入力された会員情報を前記記憶装置に登録するための会員情報登録手段と、前記会員のうち、自分でゴルフ場のプレー予約を行い、他の前記会員の中から同伴希望者を募集する者（以下、「主催者」という。）が前記端末装置から入力した主催者情報、同伴者希望条件及びプレー基本情報を含む募集情報を前記記憶装置に登録するための募集情報登録手段と、前記端末装置から入力された前記同伴希望者の参加申込みを受け付ける参加申込受付手段と、前記参加申込みを行った同伴希望者（以下、「申込者」という。）の会員情報と前記同伴者希望条件との照合を行い、一致した場合に前記参加申込みを許可する同伴者条件照合手段と、を備えるとともに、前記同伴者条件照合手段が参加申込みを許可した場合に、該参加申込みを許可された者と、前記主催者と、既に参加申込みを許可された他の申込者に対して、参加登録通知を電子メールにて通知するメール送信手段とを備えたことを特徴とするインターネットを利用したゴルフ同伴者募集システムによって達成される。
【発明の効果】
【０００７】
本発明に係るインターネットを利用したゴルフ同伴者募集システムによれば、一人でゴルフプレーの申し込みを行うことができ、また自分の希望するプレー条件に合致した同伴者とのラウンドが確実に可能となるので、ゴルフのプレーの楽しみが増えるとともに、ゴルフ場側にとっても来場客の確保が容易となり、双方にとってメリットがある。
【発明を実施するための形態】
【０００８】
以下、本発明に係るインターネットを利用したゴルフ同伴者募集システムの実施の形態について、図面を参照しつつ詳細に説明する。
図１は本発明に係るインターネットを利用したゴルフ同伴者募集システムの構成を示す概念図である。ゴルフプレーを希望する複数の会員の各端末装置（パソコン又は携帯電話等）１０と、ゴルフ同伴者募集サービスを行う業者のサーバ２０とがインターネット４０を介して相互に通信可能に接続されており、サーバ２０にはさらに記憶装置（データベース）３０が接続されている。データベース３０には、会員の個人情報である会員情報３１並びに、主催者情報、同伴者希望条件及びプレー基本情報を含む募集情報３２が主催者情報と関連付けられて格納されている。
会員情報は、たとえば、会員ＩＤ（ハンドルネーム等）、パスワード（ログイン用）、電子メールアドレスからなる会員の基本情報と、生年月日、性別、血液型、平均スコア、プレースタイル、年間ラウンド数、練習熱心度(週の練習回数)、ギア関心度、よく行くゴルフ場（エリア）等を含む会員プロフィールとから成る。
また、主催者情報とは、主催者のＩＤとメールアドレスを含む情報である。同伴者希望条件とは、同伴者の性別、年齢、血液型、プレースタイル及び平均スコア等を含むものである。さらには、プレー基本情報とは、プレー日時、ゴルフ場名、ゴルフ場所在地、費用概算、プレー形態（セルフ、カート有無、キャディ有無等）、募集人数等を含むものである。
【０００９】
図２はサーバ２０の構成を示すブロック図である。会員情報登録手段２１は各端末装置（例えば、パソコン、携帯電話、携帯用情報端末）１０の入力手段から入力された会員情報を受け付けて、データベース３０内に会員情報３１として登録する機能を有するものである。具体的には、図４に示すような会員登録画面を用いて登録を受け付ける。
募集情報登録手段２２は端末装置１０の入力手段から入力された募集情報（主催者情報、同伴者希望条件及びプレー基本情報を含む。）を受け付けて、データベース３０内に募集情報３２として登録する機能を有するものである。なお、募集情報登録手段２２は、主催者情報登録手段２２１、同伴者希望条件設定手段２２２、プレー基本情報登録手段２２３から構成される。具体的には、図５に示すような入力画面を用いて登録を受け付ける。
参加申込受付手段２３は、参加申込みを行う同伴希望者（以下、「申込者」という。）が端末装置１０から入力した参加申込みデータを受け付けるものである。具体的には、図７に示すような入力画面を用いて申込を受け付ける。
同伴者条件照合手段２４は、申込者が入力した会員ＩＤとメールアドレスをキーとしてデータベース内の会員情報を検索して申込者の会員プロフィールを抽出し、その会員プロフィールと募集情報の中の同伴者希望条件とを照合し、一致した場合に参加申込みを許可する機能を有するものである。照合する同伴者希望条件としては、例えば、年齢、血液型、性別、平均スコア、プレースタイル等である。
メール送受信手段２５は、同伴者条件照合手段２４が参加申込みを許可した場合に、該参加申込みを許可された者と、主催者と、既に参加申込みを許可された他の申込者に対して、参加登録通知を電子メールにて通知するものである。なお、制御部２６は前記各手段を所定のプログラムに従って制御するものであり、例えば、マイクロプロセッサ（ＭＰＵ）で構成される。
【００１０】
以上の構成によるインターネットを利用したゴルフ同伴者募集システムを用いてゴルフパーティの結成を行う処理の流れを、図３に示したフローチャートに基づいて説明する。
【００１１】
まず、ゴルフ同伴者募集システムを利用しようとする会員希望者が、同伴者募集支援サイトにアクセスして会員登録を行う（ステップＳ１）。具体的には、自分の端末装置１０に表示された図４のような入力画面において必要項目を入力し、最後に「会員登録をする」ボタンをクリックする。ただし、この登録は初回のみである。
次に、すでにゴルフ場にてプレー予約をした主催者が、同サイトにログインして募集情報を入力する（ステップＳ２）。具体的には、図４の画面の一番上のメニューにおいて、「募集する」のボタンをクリックすると、図示しないログイン画面が現れ、登録済みの会員ＩＤとパスワードを入力する。認証ＯＫとなると、図５のような募集登録画面に切り替わる。ここで、主催者情報、プレー基本情報、同伴者希望条件を画面の指示に従って入力し、最後に「募集内容を登録」のボタンをクリックして、募集登録を終了する。登録された募集情報はデータベース３０に記憶されるとともに、同伴者募集支援業者のサイトに、登録された募集情報が一覧として掲載される（ステップＳ３）。図６はその表示画面の一例を示すものであり、募集分類の中の「満員御礼」と表示されているもの以外が、現在募集中のものであることを示している。
【００１２】
申込を希望する会員が、自分の希望条件に合致すると思う募集を選び、左端の「詳細」をクリックすると、ログイン画面が表示され（ただし、すでにログイン中であれば表示はされない。）、ログインを行うと、図７のような募集詳細情報と参加申込み入力画面が表示される。申込者が必要事項を入力して「参加申込み」ボタンをクリックすると、参加申込みが終了する（ステップＳ４）。
次に、募集情報に表示されている同伴者希望条件と、申込者の会員情報に登録されている会員プロフィールの内容とが一致するか否かを同伴者条件照合手段２４が判定する（ステップＳ５）。
一致した場合は参加申込みが登録され、メール送受信手段２５が、今回参加申込みを許可された者と、主催者と、既に参加申込みを許可された他の申込者に対して、参加登録通知を電子メールにて通知する（ステップＳ６）。
もし一致せずに申し込みを拒否された場合は、図６の画面に戻り、自分の条件に合うと思われる他の募集を探す（ステップＳ４に戻る）。
このようにして、募集予定人数に達するまで募集が継続される（ステップＳ７）。募集予定人数に達した場合は募集一覧表において「満員御礼」が表示され、申込受付が終了する（ステップＳ８）。この状態になると、図６の画面において「詳細」をクリックしても、図７の画面の下部の「参加申込み」の入力画面は表示されなくなる。
【００１３】
なお、図７の募集詳細画面において、主催者や他の参加者のプロフィールを調べたいときは、会員ＩＤのハイパーリンクをクリックすると、図８の画面に切り替わり、会員プロフィールが表示される。これによって、自分と同伴する参加者の概要を予め知ることができるというメリットがある。
【図面の簡単な説明】
【００１４】
【図１】本発明に係るインターネットを利用したゴルフ同伴者募集システムの構成を示す概念図である。
【図２】サーバ２０の内部構成を示すブロック図である。
【図３】本発明に係るシステムの処理の流れを示すフローチャートの一例である。
【図４】会員情報登録画面の一例を示す図である。
【図５】募集情報の登録画面の一例である。
【図６】募集情報の一覧を示す画面の一例である。
【図７】募集情報の詳細及び参加申込み入力画面の一例である。
【図８】会員プロフィールの詳細を示す画面の一例である。
【符号の説明】
【００１５】
１０  申込者の端末装置
２０  サーバ
２１  会員情報登録手段
２２  募集情報登録手段
２２１  主催者情報登録手段
２２２  同伴者希望条件設定手段
２２３  プレー基本情報登録手段
２３  参加申込受付手段
２４  同伴者条件照合手段
２５  メール送受信手段
２６  制御部
３０  記憶装置（データベース）
３１  会員情報
３２  募集情報
４０  インターネット
【図２】
2012083998.tif 000003
【図３】
2012083998.tif 000004
【図１】
2012083998.tif 000005
【図４】
2012083998.tif 000006
【図５】
2012083998.tif 000007
【図６】
2012083998.tif 000008
【図７】
2012083998.tif 000009
【図８】
2012083998.tif 000010